(57)【要約】【課題】壁部を閉塞端部とした嵌合凹部を有して非磁性材料で形成されるロータが、ケーシングの支持突部に回動可能に支承され、支持突部の先端に設けられた複数個の摺動凹部のうち選択された特定の摺動凹部に、壁部に係合可能な棒状の第１永久磁石が壁部側にばね付勢されつつ摺動可能に嵌合され、マグネットキーに、嵌合凹部への該マグネットキーの嵌合時に第１永久磁石との間に壁部を介在させるようにして複数個の棒状の第２永久磁石が収容、固定されるマグネット錠において、大型化およびコスト増加を回避しつつマグネットキーの種類を増加させ得るようにする。【解決手段】横断面形状が正方形となるように形成される第１永久磁石３８および第２永久磁石が、ロータの回動軸線に直交する平面に沿う方向に磁力方向が向くように着磁される。【選択図】        図７
2011032816.tif 000002
【特許請求の範囲】
【請求項１】
マグネットキー（２８）を挿脱可能に嵌合し得る嵌合凹部（２７）ならびに該嵌合凹部（２７）の閉塞端部となる壁部（３１）を有して非磁性材料で形成されるロータ（２６）が、固定のケーシング（１８）に設けられた支持突部（２９）に、該支持突部（２９）の先端に前記壁部（３１）を対向させるようにして回動可能に支承され、前記支持突部（２９）の先端に設けられて前記壁部（３１）側に開口する複数個の摺動凹部（３７）のうち選択された特定の摺動凹部（３７）に、前記壁部（３１）に係合可能な棒状の第１永久磁石（３８）が、前記支持突部（２９）の先端から突出して前記壁部（３１）に係合する側にばね付勢されつつそれぞれ摺動可能に嵌合され、前記マグネットキー（２８）に、前記嵌合凹部（２７）への該マグネットキー（２８）の嵌合時に前記第１永久磁石（３８）との間に前記壁部（３１）を介在させるようにして複数個の棒状の第２永久磁石（４２）が収容、固定されるマグネット錠において、横断面形状が正方形となるように形成される第１および第２永久磁石（３８，４２）が、前記ロータ（２６）の回動軸線に直交する平面に沿う方向に磁力方向が向くように着磁されることを特徴とするマグネット錠。
【請求項２】
シリンダ錠（１５）が備えるシリンダボディ（１６）の前端部を覆って固定配置される前記ケーシング（１８）に前記支持突部（２９）が設けられ、前記シリンダ錠（１５）のキー孔（１７）を前記ロータ（２６）の回動に連動して開閉するシャッター板（２４）が、前記ケーシング（１８）内に収納されることを特徴とする請求項１記載のマグネット錠。
【発明の詳細な説明】
【技術分野】
【０００１】
本発明は、マグネットキーを挿脱可能に嵌合し得る嵌合凹部ならびに該嵌合凹部の閉塞端部となる壁部を有して非磁性材料で形成されるロータが、固定のケーシングに設けられた支持突部に、該支持突部の先端に前記壁部を対向させるようにして回動可能に支承され、前記支持突部の先端に設けられて前記壁部側に開口する複数個の摺動凹部のうち選択された特定の摺動凹部に、前記壁部に係合可能な棒状の第１永久磁石が、前記支持突部の先端から突出して前記壁部に係合する側にばね付勢されつつそれぞれ摺動可能に嵌合され、前記マグネットキーに、前記嵌合凹部への該マグネットキーの嵌合時に前記第１永久磁石との間に前記壁部を介在させるようにして複数個の棒状の第２永久磁石が収容、固定されるマグネット錠に関する。
【背景技術】
【０００２】
シリンダ錠のキー孔の開閉を可能としたシャッター板の作動を、シリンダ錠のケーシングに設けられた支持突部で回動可能に支承されるロータの嵌合凹部へのマグネットキーの嵌合によって許容するようにしたマグネット錠が、特許文献１で知られている。
【先行技術文献】
【特許文献】
【０００３】
【特許文献１】特開２００３−１６１０６１号公報
【発明の概要】
【発明が解決しようとする課題】
【０００４】
ところが、上記特許文献１で開示されたマグネット錠では、磁力方向がロータの軸線に沿う方向となるように着磁された横断面円形の棒状である複数の永久磁石が、ケーシングの支持突部に設けられた複数の摺動凹部のうち選択された特定の摺動凹部に、ロータへの係合を可能として摺動可能に嵌合されており、複数の第１永久磁石に個別に対応してマグネットキー側に配設される複数の第２永久磁石の前記ロータ側の磁極が、対応する第１永久磁石のマグネットキー側の磁極と同一であるときにマグネット錠が解錠するように構成されている。このようなマグネット錠では、１つの摺動凹部に対して、第１永久磁石のＮ極をマグネットキー側に配置する場合と、第１永久磁石のＳ極をマグネットキー側に配置する場合との２種類しかマグネットキーの種類を変化させることができず、マグネットキーの種類を増加させるには摺動凹部の個数ならびに摺動凹部に嵌合される第１永久磁石の個数を増加させる必要があり、大型化およびコスト増加を招くことになる。
【０００５】
本発明は、かかる事情に鑑みてなされたものであり、大型化およびコスト増加を回避しつつマグネットキーの種類を増加させ得るマグネット錠を提供することを目的とする。
【課題を解決するための手段】
【０００６】
上記目的を達成するために、本発明は、マグネットキーを挿脱可能に嵌合し得る嵌合凹部ならびに該嵌合凹部の閉塞端部となる壁部を有して非磁性材料で形成されるロータが、固定のケーシングに設けられた支持突部に、該支持突部の先端に前記壁部を対向させるようにして回動可能に支承され、前記支持突部の先端に設けられて前記壁部側に開口する複数個の摺動凹部のうち選択された特定の摺動凹部に、前記壁部に係合可能な棒状の第１永久磁石が、前記支持突部の先端から突出して前記壁部に係合する側にばね付勢されつつそれぞれ摺動可能に嵌合され、前記マグネットキーに、前記嵌合凹部への該マグネットキーの嵌合時に前記第１永久磁石との間に前記壁部を介在させるようにして複数個の棒状の第２永久磁石が収容、固定されるマグネット錠において、横断面形状が正方形となるように形成される第１および第２永久磁石が、前記ロータの回動軸線に直交する平面に沿う方向に磁力方向が向くように着磁されることを第１の特徴とする。
【０００７】
また本発明は、第１の特徴の構成に加えて、シリンダ錠が備えるシリンダボディの前端部を覆って固定配置される前記ケーシングに前記支持突部が設けられ、前記シリンダ錠のキー孔を前記ロータの回動に連動して開閉するシャッター板が、前記ケーシング内に収納されることを第２の特徴とする。
【発明の効果】
【０００８】
本発明の第１の特徴によれば、横断面形状を正方形とした第１および第２永久磁石が、ロータの回動軸線に直交する平面に沿う方向に磁力方向が向くように着磁されるので、支持突部に設けられる摺動凹部への第１永久磁石の組付け方向を９０度ずつ変化させることにより、１個の摺動凹部に対してマグネットキーの種類を４種類変化させることができ、２種類しか変化させ得なかった従来のものと比べると、摺動凹部および第１永久磁石の個数を増加させることなくマグネットキーの種類を増加させることができ、大型化およびコスト増加を回避しつつマグネットキーの種類を増加させることができる。
【０００９】
また本発明の第２の特徴によれば、シリンダ錠のキー孔をシャッター板で閉じるようにした保護装置に用いられるマグネットキーの種類を増加することができる。
【図面の簡単な説明】
【００１０】
【図１】シャッター板が閉鎖位置に在ってマグネットキーを嵌合する前の状態でのシリンダ錠の保護装置の縦断側面図であって図３の１−１線に沿う断面図である。
【図２】シャッター板が閉鎖位置に在ってマグネットキーを嵌合した状態でのシリンダ錠の保護装置の縦断側面図である。
【図３】図１の３−３線矢視図である。
【図４】図１の４−４線断面図である。
【図５】図１の５−５線断面図である。
【図６】シャッター板を開放位置に回動した状態での図４に対応した断面図である。
【図７】第１永久磁石の斜視図である。
【図８】メカニカルキーに付設されたマグネットキーを示すための一部切欠き側面図である。
【図９】図３の９−９線断面図である。
【発明を実施するための形態】
【００１１】
以下、本発明の実施の形態について、添付の図面を参照しながら説明する。
【００１２】
先ず図１および図２において、車両たとえば自動二輪車用のシリンダ錠１５のシリンダボディ１６は、車体フレームのヘッドパイプ（図示せず）に設けられており、このシリンダボディ１６の前端部は、車体フレーム側に固定されるケーシング１８で覆われる。該ケーシング１８は、シリンダボディ１６の前端部に取付けられる非磁性材料製のケース部材１９と、該ケース部材１９に取付けられる非磁性材料製のカバー部材２０とから成る。
【００１３】
図３を併せて参照して、ケーシング１８には、シリンダ錠１５の前端中央部に配置されるキー孔１７に対応した挿入孔２１が設けられる。この挿入孔２１は、ケース部材１９およびカバー部材２０にそれぞれ同軸に設けられた透孔２２，２３で構成されており、透孔２３の外端部はメカニカルキー４５（図８参照）の挿入を容易とするためにテーパ状に形成される。
【００１４】
さらに図４〜図６を併せて参照して、ケーシング１８内には、前記キー孔１７および前記挿入孔２１を閉鎖する閉鎖位置（図４および図５の位置）と、前記キー孔１７および前記挿入孔２１を開放する開放位置（図６の位置）と間でのスライド作動を可能としたシャッター板２４が収納される。
【００１５】
このシャッター板２４のスライド作動は、ケーシング１８に配設されるマグネット錠２５が備える嵌合凹部２７に、図２で示すようにマグネットキー２８を嵌合することで許容されるものであり、マグネット錠２５は、前記ケーシング１８で回動可能に支承されるロータ２６を備え、該ロータ２６に前記嵌合凹部２７が設けられる。
【００１６】
ケーシング１８のケース部材１９には、カバー部材２０側に突出した横断面円形の支持突部２９が一体に突設されており、該支持突部２９に対応する部分でカバー部材２０には円形の開口部３０が設けられる。
【００１７】
ロータ２６は、前記嵌合凹部２７の閉塞端部となる壁部３１を軸方向中間部に有して非磁性材料により略円筒状に形成されており、前記支持突部２９の先端に前記壁部３１を対向させて支持突部２９で回動可能に支承され、支持突部２９の基部およびロータ２６間にはＯリング３２が介装され、ロータ２６の外端は前記開口部３０に臨むように配置される。
【００１８】
シャッター板２４は、図４および図５で示す閉鎖位置と、図６で示す開放位置との間でのスライド作動を可能としてケーシング１８のケース部材１９およびカバー部材２０間に挟まれるものであり、ケース部材１９には、シャッター板２４の全面がケース部材１９に摺接することで摩擦抵抗が大きくなることを回避するために、複数個たとえば３個の突条３４Ａ，３４Ｂ，３４Ｃがシャッター板２４に摺接するようにして突設される。
【００１９】
ところで、ロータ２６の嵌合凹部２７は、たとえば変則八角形の横断面形状を有するように形成され、また嵌合凹部２７の略中心部には突部３５が突設される。而して嵌合凹部２７の横断面形状に対応した横断面形状を有するとともに前記突部３５を嵌合せしめる凹部３６を有するマグネットキー２８のみを嵌合凹部２７に嵌合可能である。
【００２０】
前記ロータ２６の下部は、嵌合凹部２７に入った水を排出するための排出溝７０を形成するように切切欠かれており、この排出溝７０に通じる排出通路７１がケース部材１９およびカバー部材２０の下部間に形成され、ケーシング１８の下部で前記排出通路７１の下端が外部に開放される。
【００２１】
前記支持突部２９の先端には、たとえば正方形の各角部に対応した複数個たとえば４個の摺動凹部３７…が、ロータ２６側に開口するようにして設けられており、各摺動凹部３７…のうち選択された摺動凹部３７…には、棒状の第１永久磁石３８…がそれぞれ摺動可能に嵌合され、各摺動凹部３７…の底部および各第１永久磁石３８…間には、第１永久磁石３８…を支持突部２９の先端から突出させる側にばね付勢するばね３９…がそれぞれ介設される。
【００２２】
図７において、第１永久磁石３８は横断面形状を正方形とした棒状に形成されており、前記ロータ２６の回動軸線に直交する平面に磁力方向が沿うように着磁される。すなわち第１永久磁石３８は、その横断面形状における一方の半部をＮ極とし、残余の半部をＳ極とするように着磁される。
【００２３】
また前記摺動凹部３７…も第１永久磁石３８…を摺動可能に嵌合せしめるようにして横断面形状を正方形として形成されており、たとえば一対の平行な二辺がロータ２６の半径方向に沿うようにして該ロータ２６に各摺動凹部３７…が設けられる。而して第１永久磁石３８…は、ロータ２６の回動軸線に直交する平面内での磁極配置が適宜の組み合わせとなるようにして各摺動凹部３７…のうち選択された摺動凹部３７…に摺動可能に嵌合される。すなわち第１永久磁石３８は、Ｎ極がロータ２６の半径方向内方側に在ってＳ極がロータ２６の半径方向外方側に在る状態と、Ｎ極がロータ２６の半径方向外方側に在ってＳ極がロータ２６の半径方向内方側に在る状態と、Ｎ極がロータ２６の周方向一方側に在ってＳ極がロータ２６の周方向他方側に在る状態と、Ｎ極がロータ２６の周方向他方側に在ってＳ極がロータ２６の周方向一方側に在る状態との４種類の磁極配置の１つで、選択された摺動凹部３７に摺動可能に嵌合される。
【００２４】
一方、ロータ２６の壁部３１には、前記第１永久磁石３８…の一部を係合させる係合凹部４０…が、摺動凹部３７…に対応して横断面形状を正方形として設けられており、各第１永久磁石３８…の一部が係合凹部４０…にそれぞれ係合している状態では、ロータ２６の回動作動が阻止されることになる。
【００２５】
図８において、マグネットキー２８は、シリンダ錠１５用のメカニカルキー４５の摘まみ部４６に付設されるものであり、ロータ２６における嵌合凹部２７の内周形状に対応した外周形状を有するように形成される。
【００２６】
このマグネットキー２８には、前記支持突部２９に配設される第１永久磁石３８…の配置に対応した位置に配置される複数個たとえば４個の収容凹部４１…がロータ２６の壁部３１側に開口するようにして設けられ、各収容凹部４１…のうち選択された収容凹部４１…には第２永久磁石４２…がそれぞれ収容される。また各収容凹部４１…の開口端は、マグネットキー２８に固定される非磁性材料製の閉塞板４３で閉じられる。すなわち第２永久磁石４２…は、前記嵌合凹部２７へのマグネットキー２８の嵌合時に前記第１永久磁石３８…との間に前記閉塞板４３および前記壁部３１を介在させるようにしてマグネットキー２８に収容、固定される。
【００２７】
しかも第２永久磁石４２…も、第１永久磁石３８…と同様に、横断面形状を正方形とした棒状に形成されており、前記ロータ２６の回動軸線に直交する平面に磁力方向が沿うように着磁される。またマグネットキー２８に配設される各第２永久磁石４２…の前記平面内での磁極配置は、支持突部２９側の各第１永久磁石３８…の前記平面での磁極配置と同一となるように設定されており、正規のマグネットキー２８が嵌合凹部２７に嵌合されたときには、図２で示すように、同一磁極の反発力によって、支持突部２９側の第１永久磁石３８…はばね３９…のばね力に抗して係合凹部４０…から離脱するように摺動凹部３７…に押し込まれ、これによりロータ２６の回動作動が許容されることになる。
【００２８】
前記ケーシング１８内に収納された前記シャッター板２４は、前記ロータ２６の回動に連動して前記キー孔１７を開閉するものであり、この実施の形態では、ロータ２６が、リンク機構４７を介してシャッター板２４の一端部に連結される。而して前記リンク機構４７は、シャッター板２４の一端側に延びるようにしてロータ２６の外周に一体に設けられる連結アーム４８と、ロータ２６の回動軸線と平行な軸線を有して連結アーム４８の先端に設けられた連結軸４９と、該連結軸４９を回動可能に嵌合させるようにしてシャッター板２４の一端に設けられる連結孔５０とで構成される。
【００２９】
このようなリンク機構４７によれば、ロータ２６の回動作動が許容されている状態で、ロータ２６が回動すると、そのロータ２６に追随してシャッター板２４がスライド作動する。
【００３０】
しかもシャッター板２４は、ケーシング１８の挿入孔２１を閉鎖する閉鎖位置にあってシリンダ錠１５を保護する状態（図１〜図５の状態）と、図６で示すようにケーシング１８の挿入孔２１を開放する開放位置にあってシリンダ錠１５のキー孔１７へのキーの挿入を許容する状態との間でスライド作動することが可能であり、前記閉鎖位置では支持突部２９の各第１永久磁石３８…をロータ２６の各係合凹部４０…に係合させ得るようにし、また前記開放位置では支持突部２９の各第１永久磁石３８…をロータ２６の各係合凹部４０…に係合不能とするように、シャッター板２４の閉鎖位置および開放位置間でのスライド作動範囲に対応してロータ２６の回動範囲が定められる。
【００３１】
ケーシング１８のケース部材１９およびシャッター板２４間には、閉鎖位置および開放位置間でのシャッター板２４のスライド作動をガイドするガイド手段５１が設けられており、このガイド手段５１は、ケース部材１９に植設されたガイドピン５２と、ガイドピン５２を摺動自在に嵌合させるようにしてシャッター板２４に設けられるガイド孔５３とで構成される。而してシャッター板２４は、ガイド孔５３に嵌合されたガイドピン５２でガイドされるようにしてスライド作動する。
【００３２】
図９において、ケーシング１８のケース部材１９と、ロータ２６との間には、シャッター板２４の閉鎖位置および開放位置に対応したロータ２６の回動限を定めるクリック機構５６が設けられており、このクリック機構５６は、前記連結アーム４８とは反対側でロータ２６の外周に一端に設けられた鍔部５７に対向して開口するようにしてケース部材１９に設けられる有底の収納穴５８と、該収納穴５８に摺動可能に嵌合されるボール５９と、該ボール５９を前記鍔部５１側に付勢するばね力を発揮するようにして収納穴５８に収納されるばね６０と、シャッター板２４が閉鎖位置にあるときに前記ボール５９を係合させるようにして鍔部５７に設けられる係合溝６１と、シャッター板２４が開放位置にあるときに前記ボール５９を係合させるようにして鍔部５７に設けられる係合溝６２とを備える。
【００３３】
ケーシング１８のケース部材１９およびシャッター板２４間には、シャッター板２４を開放位置で弾発的に保持する開放位置保持機構６４が設けられるものであり、この開放位置保持機構６４は、ケーシング１８のケース部材１９に突設された突部６５に一端が装着されるとともに他端には円弧状の係合部６６ａが設けられる板ばね６６と、開放位置にある状態で前記係合部６６ａを係合させるようにしてシャッター板２４の他端側外周部に設けられる係止部６７とで構成され、図６で示すようにシャッター板２４が開放位置にあるときに、係止部６７に係合部６６ａが弾発的に係合し、シャッター板２４を開放位置に保持することが可能である。また開放位置保持機構６４でシャッター板２４が開放位置に保持されている状態で、閉鎖位置側への手動操作力をシャッター板２４に加えたときには、係止部６７への係合部６６ａの弾発係合を解除するように板ばね６６を撓ませることができ、それによりシャッター板２４を閉鎖位置側に回動することが可能である。
【００３４】
ロータ２６の前記鍔部５７には、ケース部材１９と反対側に突出するピン状の操作ノブ６８が設けられ、この操作ノブ６８を貫通させる貫通孔６９が、たとえば開口部３０に連なるようにしてケーシング１８のカバー部材２０に設けられる。しかも貫通孔６９は、シャッター板２４の閉鎖位置および開放位置間でのスライド作動に伴う前記操作ノブ６８の移動を許容するように形成される。
【００３５】
次にこの実施の形態の作用について説明すると、ケーシング１８に設けられた固定の支持突部２９の先端に設けられた複数個の摺動凹部３７…のうち選択された特定の摺動凹部３７…に、前記支持突部２９で回動可能に支承されるロータ２６に設けられて前記支持突部２９の先端に対向する壁部３１に係合可能な棒状の第１永久磁石３８…が前記壁部３１に係合する側にばね付勢されつつそれぞれ摺動可能に嵌合され、マグネットキー２８に、前記ロータ２６の嵌合凹部２７への該マグネットキー２８の嵌合時に前記第１永久磁石３８…との間に前記壁部３１を介在させるようにして複数個の棒状の第２永久磁石４２…が収容、固定されるのであるが、第１および第２永久磁石３８…，４２…は、横断面形状が正方形となるように形成され、ロータ２６の回動軸線に直交する平面に沿う方向に磁力方向が向くように着磁されている。
【００３６】
したがって支持突部２９に設けられる摺動凹部３７…への第１永久磁石３８…の組付け方向を９０度ずつ変化させることにより、１個の摺動凹部３７に対してマグネットキー２８の種類を４種類変化させることができ、２種類しか変化させ得なかった従来のものと比べると、摺動凹部３７…および第１永久磁石３８…の個数を増加させることなくマグネットキー２８の種類を増加させることができ、大型化およびコスト増加を回避しつつマグネットキー２８の種類を増加させることができる。
【００３７】
またシリンダ錠１５が備えるシリンダボディ１６の前端部を覆って車体フレームに固定されるケーシング１８に前記支持突部２９が設けられ、前記シリンダ錠１５のキー孔１７を前記ロータ２６の回動に連動して開閉するシャッター板２４が、前記ケーシング１８内に収納されるので、シリンダ錠１５のキー孔１７をシャッター板２４で閉じるようにした保護装置に用いられるマグネットキー２８の種類を増加することができる。
【００３８】
以上、本発明の実施の形態について説明したが、本発明は上記実施の形態に限定されるものではなく、特許請求の範囲に記載された本発明を逸脱することなく種々の設計変更を行うことが可能である。
【００３９】
たとえば上記実施の形態では、ロータ２６にシャッター板２４がリンク機構４７を介して連結されていたが、ロータおよびシャッター板が一体に形成されていてもよい。
【符号の説明】
【００４０】
１５・・・シリンダ錠
１６・・・シリンダボディ
１７・・・キー孔
１８・・・ケーシング
２４・・・シャッター板
２６・・・ロータ
２７・・・嵌合凹部
２８・・・マグネットキー
２９・・・支持突部
３１・・・壁部
３７・・・摺動凹部
３８・・・第１永久磁石
４２・・・第２永久磁石
【図１】
2011032816.tif 000003
【図２】
2011032816.tif 000004
【図３】
2011032816.tif 000005
【図４】
2011032816.tif 000006
【図５】
2011032816.tif 000007
【図６】
2011032816.tif 000008
【図７】
2011032816.tif 000009
【図８】
2011032816.tif 000010
【図９】
2011032816.tif 000011